(57)【要約】【課題】従来の架線操作アクセス棒の欠点を解決し、操作性、作業性を改善する架線操作アクセス棒を得る。【解決手段】末端パイプセグメント２Ａおよび基端パイプセグメント２Ｅを、電気絶縁性のガラス繊維強化樹脂（ＧＦＲＰ）により形成し、末端パイプセグメントと基端パイプセグメントとの間における各中間段パイプセグメント２Ｂ，２Ｃ，２Ｄを、カーボン繊維強化樹脂（ＣＦＲＰ）により形成し、各パイプセグメントの基端側部分に、半径方向外方に延在する環状段差肩部を付け、次段パイプセグメントの末端側部分の内径に、半径方向内方に延在する環状段差肩部を付け、伸張方向での抜けを防止する。各パイプセグメントを伸張状態にロックするロック機構をピンロック機構とし、これらピンロック機構を有するパイプセグメントの末端側部分全周を被覆する柔軟な被覆材１０を設ける。【選択図】図１
2009106070.tif 000002
【特許請求の範囲】
【請求項１】
通信線または電力線の架設または保守のため架線に対して地上から操作する伸縮可能なアクセス棒であって、順次抜き差し嵌合する複数個のパイプセグメントよりなり、最前段の末端パイプセグメントから最後段の基端パイプセグメントに向かって順次のパイプセグメントの外径が徐々に大きくなり、順次のパイプセグメントを伸展させた状態でロック可能にするロック機構を設け、末端パイプセグメントの先端に架線に対する操作に必要な金具を装着可能にし、基端パイプセグメントに折り畳み可能なフットステップを回動可能に取り付けた該アクセス棒において、
パイプセグメントのうち若干のパイプセグメントを、カーボン繊維強化樹脂（ＣＦＲＰ）により形成し、残りのパイプセグメントを電気絶縁性のガラス繊維強化樹脂（ＧＦＲＰ）により形成し、
各パイプセグメントの基端側部分に半径方向外方拡大部を設けて、半径方向に外方に延在する環状段差肩部を生ずるようにし、また、このパイプセグメントを抜き差し可能に収容案内する次段パイプセグメントの末端側部分に半径方向内方拡大部を設けて、半径方向内方に延在する環状段差肩部を生ずるようにし、外側すなわち次段のパイプセグメントの内径を、内側すなわち前段パイプセグメントにおける半径方向外方拡大部の外径よりも僅かに大きし、また外側すなわち次段パイプセグメントの末端側部分半径方向内方拡大部の内径を、内側すなわち前段パイプセグメントの外径よりも僅かに大きくし、順次のパイプセグメントを摺動可能にガタつきなく案内できる寸法とし、
少なくとも基端パイプセグメントにおけるロック機構を除いて、ロック機構をピンロック機構とし、これらピンロック機構を有する各パイプセグメントの末端部には、このパイプセグメント内に収容案内される内側パイプセグメントに設けた板ばねのばね負荷を受けて半径方向外方に押圧され、前記内側および外側の環状段差肩部相互が衝合して、回転方向の位置が整合したときにピンが嵌合できるピン受け孔を設け、かつ前記パイプセグメントの末端側部分全周を被覆する柔軟な被覆材を設けた
ことを特徴とする架線操作アクセス棒。
【請求項２】
末端パイプセグメントおよび基端パイプセグメントを、電気絶縁性のガラス繊維強化樹脂（ＧＦＲＰ）により形成し、末端パイプセグメントと基端パイプセグメントとの間における各中間段パイプセグメントを、カーボン繊維強化樹脂（ＣＦＲＰ）により形成した請求項１記載の架線操作アクセス棒。
【請求項３】
前記基端パイプセグメントの基端側部分に回動可能に取り付けたコの字状フットステップにおける、クロスバー部分を基端パイプセグメントの周面に沿う湾曲形状にした請求項１または２記載の架線操作アクセス棒。
【請求項４】
少なくとも末端パイプセグメント内に、重量の軽い充填材を充填した請求項１〜３のうちいずれか一項に記載の架線操作アクセス棒。
【請求項５】
前記各パイプセグメントは、基端パイプセグメントの基端面に設けた元栓を外すことにより、分解、交換可能にした請求項１〜４のうちいずれか一項に記載の架線操作アクセス棒。
【発明の詳細な説明】
【技術分野】
【０００１】
本発明は、通信線または電力線の架設または保守のため架線に対して地上から操作する伸縮可能なアクセス棒であって、順次抜き差し嵌合する複数個のパイプセグメントよりなり、最前段の末端パイプセグメントから最後段の基端パイプセグメントに向かって順次のパイプセグメントの外径が徐々に大きくなり、順次のパイプセグメントを伸展させた状態でロック可能にするロック機構を設け、末端パイプセグメントの先端に架線に対する操作に必要な金具を装着可能にし、基端パイプセグメントに折り畳み可能なフットステップを回動可能に取り付けた該アクセス棒に関する。
【背景技術】
【０００２】
このような架線操作アクセス棒としては、互いに抜き差し嵌合する内側パイプセグメントの基端側部分の外周に雄ねじ付きブッシュを固着し、外側パイプセグメントの末端側部分には、螺旋ばねのばね負荷により、この外側パイプセグメントに設けた横孔から半径方向に突出するロックピンと、内側パイプセグメントの雄ねじ付きブッシュにねじ係合する雌ねじ付きソケットとを設け、外側パイプセグメントに設けたロックピンが嵌合するピン受け孔を内側パイプセグメントに設け、ロックピンがピン受け孔に嵌合した状態で、内側パイプセグメントの雄ねじ付きブッシュに対して外側パイプセグメントの雌ねじ付きソケットをねじ付けることによって内側パイプセグメントを伸展状態にロックするロック機構を設けるものがある。（例えば、特許文献１参照。）
【特許文献１】特開平１１‐３０８７２２号
【０００３】
また、従来のこのような架線操作アクセス棒は、通電状態の電線に触れる可能性があり、感電防止のため電気絶縁性を持たせようとして、ガラス繊維強化樹脂、またはカーボン繊維強化樹脂とガラス繊維強化樹脂との積層体でパイプセグメントを形成していた。
【発明の開示】
【発明が解決しようとする課題】
【０００４】
しかし、このようなガラス繊維強化樹脂またはカーボン繊維強化樹脂とガラス繊維強化樹脂との積層体よりなるパイプセグメントを順次つなぎ合わせたアクセス操作棒は、重量が極めて重く、操作性が悪かった。操作性を改善する、すなわち、軽量化、細径化しようとすると、曲がりやすくなり、かえって作業性が低下するきらいがあった。
また、特許文献１に記載のソケットナットを有する架線操作アクセス棒は、半径方向外方に出っ張り、見栄えが悪くまた重量を重たくする要因にもなっていた。
さらに、ロックピンが外部に露出し、アクセス棒を収縮させる際に、手を挟む危険性もあり、また伸展させる際に注意深く引き出さないと、前段側パイプセグメントが後段側パイプセグメントから抜けてしまう恐れもあった。
さらにまた、基端パイプセグメントの基端側部分に回動可能に取り付けたコの字状フットステップのクロスバー部分は、真っ直ぐであり、折り畳んだ状態で、両側のコーナー部分が外方に出っ張り、収納保管時に他の材料に引っ掛かり易く、取り扱いに注意が必要であった。
【０００５】
本発明の目的は、これら従来の架線操作アクセス棒の欠点を解決し、操作性、作業性を改善する架線操作アクセス棒を得るにある。
【課題を解決するための手段】
【０００６】
この目的を達成するため、本発明架線操作アクセス棒は、パイプセグメントのうち若干のパイプセグメントを、カーボン繊維強化樹脂（ＣＦＲＰ）により形成し、残りのパイプセグメントを、電気絶縁性のガラス繊維強化樹脂（ＧＦＲＰ）により形成し、各パイプセグメントの基端側部分に半径方向外方拡大部を設けて、半径方向に外方に延在する環状段差肩部を生ずるようにし、また、このパイプセグメントを抜き差し可能に収容案内する次段パイプセグメントの末端側部分に半径方向内方拡大部を設けて、半径方向内方に延在する環状段差肩部を生ずるようにし、外側すなわち次段のパイプセグメントの内径を、内側すなわち前段パイプセグメントにおける半径方向外方拡大部の外径よりも僅かに大きし、また外側すなわち次段パイプセグメントの末端側部分半径方向内方拡大部の内径を、内側すなわち前段パイプセグメントの外径よりも僅かに大きくし、順次のパイプセグメントを摺動可能にガタつきなく案内できる寸法とし、少なくとも基端パイプセグメントにおけるロック機構を除いてロック機構をピンロック機構とし、これらピンロック機構を有する各パイプセグメントの末端部には、このパイプセグメント内に収容案内される内側パイプセグメントに設けた板ばねのばね負荷を受けて半径方向外方に押圧され、前記内側および外側の環状段差肩部相互が衝合して、回転方向の位置が整合したときにピンが嵌合できるピン受け孔を設け、かつ前記パイプセグメントの末端側部分全周を被覆する柔軟な被覆材を設けたことを特徴とする。
【発明の効果】
【０００７】
本発明架線操作アクセス棒によれば、パイプセグメントのうち若干のパイプセグメントを、カーボン繊維強化樹脂（ＣＦＲＰ）により形成したため、軽量化することができる。
【０００８】
また内側および外側のパイプセグメントに、伸展時に互いに衝合する環状段差肩部が存在するため、前段側パイプセグメントが後段側パイプセグメントから抜ける心配もなく、気兼ねなく伸展させることができる。
さらに、パイプセグメントの末端側部分全周を被覆する柔軟な被覆材を設けたため、ロックピンは柔軟な被覆材で覆われて外部に露出することがなく、したがって、収縮時に手を挟む危険性がなくなる。
【発明を実施するための最良の形態】
【０００９】
本発明の好適な実施例においては、末端パイプセグメントおよび基端パイプセグメントを、電気絶縁性のガラス繊維強化樹脂（ＧＦＲＰ）により形成し、末端パイプセグメントと基端パイプセグメントとの間における各中間段パイプセグメントを、カーボン繊維強化樹脂（ＣＦＲＰ）により形成する。この構成によれば、架線に直接触れる可能性のある末端パイプセグメントおよび作業員が手を触れる基端パイプセグメントは、電気絶縁性の高いガラス繊維強化樹脂（ＧＦＲＰ）により形成したため、安全性が確実に確保される。
また、本発明の好適な実施形態においては、基端パイプセグメントの基端側部分に回動可能に取り付けたコの字状フットステップにおける、クロスバー部分を基端パイプセグメントの周面に沿う湾曲形状にする。この構成によれば、折り畳んだ状態で、両側のコーナー部分がパイプセグメントの周面に近接するため、収納保管時に他の材料に引っ掛かる心配はなくなる。
【００１０】
本発明の他の好適な実施形態においては、少なくとも末端パイプセグメント内に、重量の軽い充填材を充填する。この構成には、各パイプセグメントを細くしても、曲がりにくくなり、かつ軽量化が図れるので、操作性、作業性が向上する。
【００１１】
本発明の他の好適な実施形態においては、各パイプセグメントは、基端パイプセグメントの基端面に設けた元栓を外すことにより、分解、交換可能にする。この構成によれば、例えば、いずれかのパイプセグメントの柔軟な被覆材が破損した場合、またはロックピンが破損した場合等で、その破損した部分だけ新しいパイプセグメントと交換することができ、全体を破棄するムダが省ける。
【００１２】
つぎに、図面につき本発明の好適な実施例を説明する。
【実施例１】
【００１３】
図１は、本発明による架線操作アクセス棒１の側面図を示し、（ａ）は伸張状態、（ｂ）は収縮状態を示す。このアクセス棒１は、通信線または電力線の架設または保守のため架線に対して地上から操作する伸縮可能なアクセス棒であって、順次抜き差し嵌合する複数個の、図示の実施例では、５個のパイプセグメント２Ａ，２Ｂ，２Ｃ，２Ｄ，２Ｅよりなる。
【００１４】
最前段の末端パイプセグメント２Ａから最後段の基端パイプセグメント２Ｅに向かって順次のパイプセグメントの外径が徐々に大きくなるようにする。
【００１５】
アクセス棒１は、順次のパイプセグメントを伸展させた状態でロック可能にするロック機構を設ける。パイプセグメント２Ａ，２Ｂ間、２Ｂ，２Ｃ間、および２Ｃ，２Ｄ間におけるロック機構は、以下に説明するピンロック機構とする（図２参照）。パイプセグメント２Ｄ，２Ｅ間におけるロック機構は、長さの微調整が可能な普通のツイストロック機構とする。
【００１６】
末端パイプセグメントの先端に、架線に対する操作に必要な金具（図示せず）を装着可能にする。基端パイプセグメント２Ｅには、折り畳み可能なフットステップ３を回動可能に取り付ける。
【００１７】
この架線に対する操作としては、作業員が電柱に登って架線に対して作業をする際に、落下を防止するワイヤ巻き取り装置を、架線のメッセンジャワイヤに引っ掛ける操作がある。フットステップ３を展開し、このフットステップ３を足で踏むことによって、長く伸張させ、ロック装置によりこの伸張状態にロックしたアクセス棒１の安定を図りながら、アクセス棒１の先端に取り付けた金具（図示せず）に引っ掛けたワイヤ巻き取り装置を懸垂するカラビナを、架線のメッセンジャワイヤに装着する。このとき、ワイヤ巻き取り装置から安全ワイヤを引き出しておき、この安全ワイヤを作業員のベルト等に取り付けた固定部に装着する。
【００１８】
安全ワイヤを装着した状態で、作業員は電柱の順次のステップを登る。作業員が登るにつれて、安全ワイヤはたるもうとするが、このたるみはワイヤ巻き取り装置が自動的に巻き取ることによって吸収され、つねにピンは張った状態となる。また、仮に、作業員がステップを踏み外して落下しそうになったとき、自動車の安全シートベルトのように、ワイヤの引き出しを抑止する。これにより、作業員の落下を防止することができる。
【００１９】
本発明架線操作アクセス棒１においては、末端パイプセグメント２Ａおよび基端パイプセグメント２Ｅを、電気絶縁性のガラス繊維強化樹脂（ＧＦＲＰ）により形成し、末端パイプセグメントと基端パイプセグメントとの間における各中間段パイプセグメント２Ｂ，２Ｃ，２Ｄを、カーボン繊維強化樹脂（ＣＦＲＰ）により形成する。
【００２０】
本発明架線操作アクセス棒１によれば、すべてのパイプセグメントをガラス繊維強化樹脂（ＧＦＲＰ）するのではなく、末端パイプセグメント２Ａおよび基端パイプセグメント２Ｅのみが電気絶縁性のガラス繊維強化樹脂（ＧＦＲＰ）とし、残りのパイプセグメント２Ｂ，２Ｃ，２Ｄは、軽量のカーボン繊維強化樹脂（ＣＦＲＰ）であるため、軽さと安全性の双方を兼ね備えることができる。
【００２１】
さらに、本発明による架線操作アクセス棒１は、図２に示すように、各パイプセグメント（図２場合、パイプセグメント２Ｂ）の基端側部分に半径方向外方拡大部（２Ｂ′）を形成し、基端側部分に半径方向に外方に延在する環状段差肩部４Ｂを生ずるようにする。この半径方向外方拡大部（２Ｂ′）は、パイプセグメント（２Ｂ）の外面に、ブシュを圧入または接着等により固定することにより形成すると好適である。
【００２２】
各パイプセグメント（図２場合、パイプセグメント２Ｂ）の基端側部分における半径方向外方拡大部（２Ｂ′）の外径は、このパイプセグメント（２Ｂ）を抜き差し可能に収容案内する外側（次段）パイプセグメント（図２場合、パイプセグメント２Ｃ）の内径より僅かに小さいものとする。
【００２３】
このパイプセグメントを抜き差し可能に収容案内する次段パイプセグメント（図２場合、パイプセグメント２Ｃ）の末端側部分の内面に、半径方向内方拡大部（２Ｃ′）を形成し、半径方向内方に延在する環状段差肩部５Ｃを生ずるようにする。この半径方向内方拡大部（２Ｃ′）は、パイプセグメント（２Ｃ）の内面に、ブシュを圧入または接着等により固定することにより形成すると好適である。
【００２４】
この各パイプセグメント（図２場合、パイプセグメント２Ｃ）の末端側部分における半径方向内方拡大部（２Ｃ′）の内径は、内側（前段）パイプセグメント（２Ｂ）の外径より僅かに大きいものとする。
【００２５】
この構成により、順次抜き差し嵌合するパイプセグメントは、相互にガタつきなく案内でき、伸展時に環状段差肩部４Ｂ，５Ｃ相互が衝合するため、前段側パイプセグメントが後段側パイプセグメントから抜ける心配はなく、またガタつきも防止される。
【００２６】
上述したように、本発明架線操作アクセス棒１におけるパイプセグメント２Ａ，２Ｂ間、２Ｂ，２Ｃ間、および２Ｃ，２Ｄ間におけるロック機構は、以下に説明するピンロック機構とする（図２の場合、パイプセグメント２Ｂ，２Ｃ間を示す）。
【００２７】
このピンロック機構を、図２につき、外側（次段）パイプセグメント２Ｃの末端部に、このパイプセグメント２Ｃ内に内側（前段）パイプセグメント２Ｂが収容案内された状態で説明する。
【００２８】
ピンロック機構として、内側（前段）パイプセグメント２Ｂに一方の端部を固定した板ばね６Ｂと、この板ばね６Ｂの他方の端部に固着し、この板ばね６Ｂのばね負荷を受けて半径方向外方に押圧されるピン７Ｂと、このピン７Ｂが突出および後退できるピン受け孔８Ｂを設ける。さらに、外側（次段）パイプセグメント２Ｃの末端部に内側および外側の環状段差肩部４Ｂ，５Ｃ相互が衝合して、回転方向の位置が整合したときにピン７Ｂが嵌合できるピン受け孔９Ｃを設け、かつパイプセグメント２Ｃの末端側部分全周を被覆する柔軟な被覆材１０Ｃを設ける。各パイプセグメントの末端側部分全周を被覆するこれら柔軟な被覆材１０Ａ，１０Ｂ，１０Ｃ，１０Ｄ，１０Ｅ（図１参照）により、ロックピンは柔軟な被覆材で覆われて外部に露出することがなく、したがって、収縮時に手を挟む危険性がなくなる。この柔軟な被覆材としては、天然また合成のエラストマー材料（樹脂）とすることができる。
【００２９】
図３の（ａ）に従来の架線操作アクセス棒におけるフットステップ、（ｂ）に本発明によるアクセス棒１のフットステップ３を示す。従来のフットステップは、図３（ａ）に示すように、クロスバー部分が真っ直ぐであり、折り畳んだ状態で、両側のコーナー部分が外方に出っ張り、収納保管時に他の材料に引っ掛かり易く、取り扱いに注意が必要であった。
【００３０】
これに対し、本発明架線操作アクセス棒１においては、基端パイプセグメント２Ｅの基端側部分に回動可能に取り付けたコの字状フットステップ３における、クロスバー部分３′を基端パイプセグメント２Ｅの周面に沿う湾曲形状にする。この構成により、フットステップ３を折り畳んだ状態で、両側のコーナー部分がパイプセグメント２Ｅの周面に近接するため、収納保管時に他の材料に引っ掛かる心配はなくなる。
【００３１】
本発明架線操作アクセス棒１の好適な実施例においては、少なくとも末端パイプセグメント２Ａ内に、重量の軽い充填材を充填する。この構成によれば、各パイプセグメントを細くしても、曲がりにくくなり、かつ軽量化が図れるので、操作性、作業性が向上する。
【００３２】
さらに、本発明架線操作アクセス棒１の好適な実施例においては、各パイプセグメントは、基端パイプセグメントの基端面に設けた元栓１１を外すことにより、分解、交換可能にする。
【００３３】
好適には、基端パイプセグメント２Ｅとこの基端パイプセグメントの前段のパイプセグメント２Ｄとの間におけるロック機構をツイストロック機構にし、任意の可変位置でロックすることができるようにし、長さ調整を任意にすることができるようにする。前段パイプセグメント２Ｄには、図１に示すように、長さの目盛り１２を付けると好適である。
【産業上の利用可能性】
【００３４】
本発明架線操作アクセス棒は、通信線または電力線の架設または保守を行う通信または電力業界で、種々の架設または保守作業に利用できる。
【図面の簡単な説明】
【００３５】
【図１】本発明による架線操作アクセス棒を示し、（ａ）は伸展した状態、（ｂ）は収縮した状態の平面図である。
【図２】本発明による架線操作アクセス棒のロック機構の示す線図的部分断面図である。
【図３】架線操作アクセス棒のフットステップであり、（ａ）は従来のフットステップ、（ｂ）は本発明によるフットステップの斜視図である。
【符号の説明】
【００３６】
１  架線操作アクセス棒
２Ａ  末端パイプセグメント
２Ｂ  パイプセグメント
２Ｂ′内側（前段）パイプセグメントの基端側部分における半径方向外方拡大部
２Ｃ  パイプセグメント
２Ｃ′外側（次段）パイプセグメントの末端側部分における半径方向内方拡大部
２Ｄ  パイプセグメント
２Ｅ  基端パイプセグメント
３  フットステップ
３′  クロスバー部分
４Ｂ  環状段差肩部（半径方向外方）
５Ｃ  環状段差肩部（半径方向内方）
６Ｂ  板ばね
７Ｂ  ピン
８Ｂ  ピン受け孔
９Ｃ  ピン受け孔
１０Ａ  柔軟な被覆材
１０Ｂ  柔軟な被覆材
１０Ｃ  柔軟な被覆材
１０Ｄ  柔軟な被覆材
１０Ｅ  柔軟な被覆材
１１  元栓
１２  目盛り
【図１】
2009106070.tif 000003
【図２】
2009106070.tif 000004
【図３】
2009106070.tif 000005